(57)【要約】【課題】適度の注入速度と所要時間で注入でき、取り扱いが簡単でかつ注入速度が速いことによる不都合がない胃ろう用コネクター等の提供。【解決手段】本発明の胃ろう用コネクターＩは、該コネクター本体１の一端に、胃ろうアダプターに接続するためのアダプター挿入部２を有し、また他端には栄養剤バッグの取出部３１を系合し得るバッグ接続部３を有する。該接続部３の内壁面９にはねじ山４を有しており、更に該接続部３の奥部には同心円状に嵌合壁７を設けて接続部内壁９との間に嵌合溝６を形成し、該嵌合溝６には、接続部３の接続口１１に栄養剤バッグの取出口３１をねじ込んで取り付ける。接続部は一体化してもよい。本発明の胃ろう用コネクターには、アダプター及び栄養剤バッグを取り付けて使用する。【選択図】  図１
2006042856.tif 000002
【特許請求の範囲】
【請求項１】
一端にアダプター挿入部と他端に栄養剤取出部を系合し得る接続部を有する胃ろう用コネクターであって、該接続部の奥部には同心円状に嵌合壁を設けて接続部内壁との間に嵌合溝を形成し、更に前記接続部内壁面にはネジ山を有することを特徴とする胃ろう用コネクター。
【請求項２】
請求項１に記載の胃ろう用コネクターのアダプター挿入部とアダプターの栄養剤注入部とを接続して一体化したことを特徴とする胃ろう用コネクター。
【請求項３】
前記請求項２に記載のアダプターを有する胃ろう用コネクターの栄養剤取出部と係合し得る接続部と栄養剤取出部とを接続し一体化したことを特徴とする胃ろう用コネクター組立体。
【請求項４】
胃ろう用アダプターの栄養剤注入部に代えて請求項１に記載の胃ろう用コネクターを接続したことを特徴とする胃ろう用コネクター。
【請求項５】
請求項４に記載の胃ろう用コネクターと栄養剤取出部とを接続したことを特徴とする胃ろう用コネクター組立体。
【請求項６】
請求項５に記載の胃ろう用コネクター組立体の胃ろうボタン接続部に蓋を有することを特徴とする胃ろう用コネクター組立体。
【発明の詳細な説明】
【技術分野】
【０００１】
本発明は、胃ろう用コネクター及びアダプター等を有する胃ろう用コネクターに関し、更に詳しくは、本発明は、適度の注入速度と所要時間で注入でき、取り扱いが簡単でかつ注入速度が速いことによる不都合がない胃ろう用コネクター及びアダプター等を有する胃ろう用コネクターに関するものである。
【背景技術】
【０００２】
従来、病気やけがで口から食事ができない患者は、例えば、高カロリーの点滴により栄養を補うことが行われてきたが、近年、胃ろう造設術を用いて胃ろうチューブを取り付けることが行われるようになった。この胃ろう造設術は、具体的には、図９に示される胃ろうボタン１５を設置する際、胃の中まで糸を通した針を刺し、この針の糸を口から入れた内視鏡でつかんで口まで引き出し、引き出した糸に胃ろう用カテーテルを結びつけ、ついで腹側から糸を引っ張り、胃の中に留置することにより行われる（例えば、特許文献１参照）。この胃ろう用カテーテル（又は胃ろうチューブ、胃ろうボタン等ともいう。）に栄養剤を注入する際は、液状の濃厚栄養剤をバッグに入れ替え後、高い位置に吊るして固定し、ここから自然落下を利用して注入する方法が、一般的に行われていた。バッグは、図８に示される如き栄養剤バッグが知られている。しかし、この方法は、（イ）バッグや容器を吊るすために高い位置にフック等を設ける必要があり、また専用の注入台が必要である等の場所を考慮する必要がある。（ロ）一回の注入に時間（１〜２時間）がかかり、介助者の時間的制約が大きい。（ハ）注入速度が早いと下痢や不快感が現れる。（ニ）わき漏れがおきる。（ホ）胃・食道への逆流が起きやすい、などの問題があり、介護・看護の現場では改善が要望されていた。最近、液体の濃厚栄養剤を寒天化することにより、胃・食道への逆流を防止しまた下痢の防止に有効である旨の報告がなされているが、栄養剤の寒天化には時間的手間が極めて大きいという問題があるばかりでなく不均一化して有効に寒天化し難いという問題がり、普及するには今一つ改善の余地がある。
【非特許文献１】ＮＰＯ法人  ＰＥＧドクターズネットワーク（http://www.peg.ne.jp/eiyou/peg/about.html）
【発明の開示】
【発明が解決しようとする課題】
【０００３】
そこで、本発明者は、前述のような患者に対して経口栄養剤である半固形栄養剤を胃ろう用栄養剤として利用する際、図７に示されるような胃ろうボタン接続部１３、チューブ１２及び栄養剤注入部４０又は４２を有する胃ろう用アダプターＩＩやＩＩＩが用いられており、このような胃ろう用アダプターにおいて、その端部に有する栄養剤注入部４０又は４２の注入口に注射用シリンジを挿入して注入することを試み、その結果、前述の問題点の大部分について解決することができた。しかしながら、前述のような注射用シリンジで半固形栄養剤を注入する場合には、依然として、わき漏れ、下痢・不快感等が改善されていないことがわかり、この点についてさらに検討し、図８に示される如き、半固形栄養剤の充填されているバッグ３０を、本発明の胃ろう用コネクターＩを介して胃ろうチューブに接続してみたところ、ほとんどわき漏れが起きないことはもちろんのこと、注入場所を必要としない、注入時間が５〜１０分程度に短縮することができ、しかも患者如何により自分で注入することができる、下痢が起こらないばかりか不快感が少ない等の患者側のメリットが大きいという優れた効果を奏することがわかった。さらに介護・看護をする側の立場からみても、毎食時における注入時間の制限がなくなり、注入を途中で止め、再度注入するなどの再利用が可能となることを見出し、ここに本発明をなすに至った。
【０００４】
したがって、本発明が解決しようとする課題は、適度の注入速度と所要時間で注入でき、取り扱いが簡単でかつ注入速度が速いことによる不都合がない胃ろう用コネクター及びアダプター等を有する胃ろう用コネクターを提供することにある。
【課題を解決するための手段】
【０００５】
本発明の上記課題は、以下の各発明によってそれぞれ達成される。
（１）一端にアダプター挿入部と他端に栄養剤取出部を系合し得る接続部を有する胃ろう用コネクターであって、該接続部の奥部には同心円状に嵌合壁を設けて接続部内壁との間に嵌合溝を形成し、更に前記接続部内壁面にはねじ山を有することを特徴とする胃ろう用コネクター。
（２）前記第１項に記載の胃ろう用コネクターのアダプター挿入部とアダプターの栄養剤注入部とを接続して一体化したことを特徴とする胃ろう用コネクター。
（３）前記第２項に記載のアダプターを有する胃ろう用コネクターの栄養剤取出部と係合し得る接続部と栄養剤取出部とを接続し一体化したことを特徴とする胃ろう用コネクター組立体。
（４）胃ろう用アダプターの栄養剤注入部に代えて前記第１項に記載の胃ろう用コネクターを接続したことを特徴とする胃ろう用コネクター。
（５）前記第４項に記載の胃ろう用コネクターと栄養剤取出部とを接続したことを特徴とする胃ろう用コネクター。
（６）前記第５項に記載の胃ろう用コネクター組立体の胃ろうボタン接続部に蓋を有することを特徴とする胃ろう用コネクター組立体。
【発明の効果】
【０００６】
本発明によれば、一端にアダプター挿入部と他端に栄養剤取出部を系合し得る接続部を有する胃ろう用コネクターであって、該接続部の奥部には同心円状に嵌合壁を設けて接続部内壁との間に嵌合溝を形成し、更に前記接続部内壁面にはねじ山を有することにより、適度の注入速度と所要時間で注入でき、取り扱いが簡単でかつ注入速度が速いことによる不都合がない、即ち（ａ）注入速度が早いと下痢や不快感が現れる。（ｂ）わき漏れがおきる。（ｃ）胃・食道への逆流が起きやすい、などの不都合がないという非常に優れた効果を奏するものである。また本発明の第２項に記載の発明は、前記第１項に記載の胃ろう用コネクターのアダプター挿入部とアダプターの栄養剤注入部とを接続して一体化したことにより、特に適度の注入速度と所要時間で注入でき、取り扱いが簡単でかつ注入速度が速いという優れた効果を奏するものである。更に本発明の第３項に記載の発明の組立体は、前記第２項に記載のアダプターを有する胃ろう用コネクターの栄養剤取出部と係合し得る接続部と栄養剤取出部とを接続し一体化したことにより、胃ろうボタンに直接アダプターの端部にある胃ろうボタン接続部を接続するのみでよく、栄養剤バッグの接続をきわめて簡単に行うことができ、したがって取り扱いが簡単かつ迅速に行えると共に注入速度を所望の速度に調節することができるという優れた効果を奏するものである。更にまた本発明の第４項に記載の発明は、胃ろう用アダプターの栄養剤注入部に代えて前記第１項に記載の胃ろう用コネクターを接続したことにより、アダプターに直接栄養剤バッグを接続するだけで胃に栄養剤を供給することができ、取り扱いが簡単かつ迅速に行えると共に注入速度を所望の速度に調節することができるという優れた効果を奏するものである。更には本発明の第５項に記載の発明は、前記第４項に記載の胃ろう用コネクターと栄養剤取出部とを接続したことにより、直接胃ろうボタンに接続することができるので、きわめて簡単かつ容易に取り扱いことができるという格別顕著な効果を奏するものである。本発明の第６項に記載の発明は、前記第５項に記載の胃ろう用コネクター組立体の胃ろうボタン接続部に蓋を有することにより、気密下に保存されるので、胃ろうボタン接続部１３が細菌に汚染されるおそれがなく、衛生上清潔に保持することができる。
【発明を実施するための最良の形態】
【０００７】
以下、本発明を図面を用いて具体的に説明するが、本発明は、以下に説明する具体的事例に限定されるものではない。図１は、本発明の胃ろう用コネクターを示す断面面である。図１において、胃ろう用コネクターＩは、該コネクター本体１の一端には、胃ろう用アダプター（図７参照）に接続するためのアダプター挿入部２を有し、また他端には栄養剤バッグの取出部３１を系合し得る接続部（以下、バッグ接続部という。）３を有する。該バッグ接続部３の内壁９の表面にはネジ山４を有しており、更に該接続部３の奥部には同心円状に嵌合壁７を設けて接続部内壁９との間に嵌合溝６を形成し、該嵌合溝６には、バッグ接続部３の接続口１１に栄養剤取出部３１をねじ込むと、その取出部３１の先端が嵌合して気密に接続され、栄養剤がコネクターのバッグ接続部３から漏れ難くなる。その結果、（ｂ）の不都合であるわき漏れがおきないという優れた効果を奏する。本発明の胃ろう用コネクターＩは、図７に示されている如き、アダプターと接続されて使用される。このアダプターには、図７のａに示される如き、直角アダプターＩＩと図７のｂに示される如き、ストレートアダプターＩＩＩが知られている。まず、本発明の胃ろう用コネクターを前述の如きアダプターに使用する場合について説明する。図２は、図７のｂに示されるストレートアダプターの栄養剤注入部４２に接続した例が示されており、該ストレートアダプターＩＩＩの栄養剤注入部４２に胃ろう用コネクターＩのアダプター挿入部２を挿入して接続されている。この接続は取り外し可能にねじ込み式が好ましいが、これらを一体化してもよい。一体化は、接着剤による固着又は溶着等の方法がある。
【０００８】
本発明の胃ろう用コネクターＩは、図３に示されるように、胃ろう用コネクターＩにアダプターＩＩ又はＩＩＩと栄養剤バッグ３０とを共に接続して使用される。接続は、図３及び図４示されている如き、胃ろう用コネクターのバッグ接続部３に栄養剤取出部３１を挿入して嵌合する。この結果、栄養剤取出部３１は、バッグ接続部３の嵌合壁７と接続部内壁面９との間に形成された嵌合溝６に嵌合されるので、栄養剤のわき漏れがない。したがって、本発明の胃ろう用コネクターＩを用いることにより、栄養剤バッグを圧迫して適度の注入速度を得ることができるので、所要時間で注入できるばかりでなく、取り扱いが簡単でかつ注入速度が速いことによる不都合がない、即ち（ａ）注入速度が早いと下痢や不快感が現れるが、注入速度を所望の速度に調節できるので、下痢をおこすことがなく、また不快感がない所望の速度で注入することができる。本発明の胃ろう用コネクターを用いることにより、胃ろう用アダプター側及び栄養剤挿入側の接続部が気密に接続されるので、（ｂ）わき漏れがおきない。（ｃ）胃・食道への逆流が起き難いという非常に優れた効果を奏するものである。この際、栄養剤注入部４２及び栄養剤バッグ３０の栄養剤取出部３１との接続部は、共に一体化しておいてもよい。本発明の胃ろう用コネクターＩは、図２の如く一体化した状態で製品としてもよい。本発明に用いられるアダプターとしては、ストレートアダプターＩと直角アダピターＩＩのいずれにも用いることができる。図４は、本発明の胃ろう用コネクターＩを栄養剤バッグ３０に接続した形態で製品としたもので、この形態で製品とする場合には、接続部は一体化することが好ましい。またこの場合には、アダプアター挿入部２には、図６のｂに示される如き、蓋１７を設けることが好ましい。
【０００９】
一方、本発明の胃ろう用コネクターは、該コネクター単品として用いられるが、あらかじめ、胃ろうチューブに接続しておくこともできる。図５は、胃ろう用アダプターの栄養剤注入部に代えて本発明の胃ろう用コネクターを直接接続した胃ろう用コネクターを示す側面図である。図５において、チューブ１２の一端には、胃ろうボタン（図９参照）に嵌合する胃ろうボタン接続部１３を有し、また他端には本発明の胃ろう用コネクターＩが接続されている。このようにアダプターチューブに直接胃ろう用コネクターが設けられているので、該コネクターのバッグ接続部３に直接栄養剤バッグ３０の栄養剤取出部３１を接続することができ、その結果、直接かつ迅速にアダプターに栄養剤バッグを接続することができるので、直接栄養剤バッグを接続するだけで胃に栄養剤を供給することができ、取り扱いが簡単かつ迅速に行えると共に注入速度を所望の速度に調節することができるという優れた効果を奏するものである。
【００１０】
図６は、本発明の別実施の形態を示す胃ろう用コネクター組立体の側面図である。図６のａにおいて、図５に示される本発明の胃ろう用コネクターのバッグ接続部３に、栄養剤バッグ３０を接続した場合であり、本発明は、この形態で製品として販売される。この際、バッグ接続部３と栄養剤取出部３１は、一体化してもよく、また取り外し可能に取り付けてもよい。このように胃ろう用コネクターのバッグ接続部３に、栄養剤バッグ３０を接続した場合には、図６のｂに示される部分断面図のように、蓋１７をしておくことが好ましい。これにより、気密下に保存されるので、胃ろうボタン接続部１３が細菌に汚染されるおそれがなく、衛生上清潔に保持することができる。
【産業上の利用可能性】
【００１１】
本発明の胃ろう用コネクター及びアダプター等を有する胃ろう用コネクターは、胃ろう造設術に係る分野に使用されるばかりでなく、広く医療分野にも医療器具のコネクターとして使用される。
【図面の簡単な説明】
【００１２】
【図１】本発明の胃ろう用コネクターを示す断面面である。
【図２】本発明の胃ろう用コネクターをアダプターに接続したところを示す側面図である。
【図３】胃ろう用コネクターをアダプターと栄養剤バッグに接続した組立体を示す側面図である。
【図４】胃ろう用コネクターを栄養剤バッグに接続したところを示す側面図である。
【図５】本発明の胃ろう用コネクターを接続したアダプターを示す側面図である。
【図６】図３の組立体の別の実施形態（一体化）を示す側面図である。
【図７】本発明に用いられるアダプターの種類を示す側面図である。
【図８】本発明に用いられる栄養剤バッグを示す側面図である。
【図９】胃ろうボタンを示す断面図である。
【符号の説明】
【００１３】
１  コネクター本体
１１  接続口
２  アダプター挿入部
３  バッグ接続部
３０  栄養剤バッグ
３１  栄養剤取出部
４、３２  ねじ山
５  ストッパー
６  嵌合溝
７  嵌合壁
９  接続部内壁面又は内壁
１２  チューブ
１３  胃ろうボタン接続部
１４  胃壁及び腹部
１５  胃ろうボタン
１６、１７、４１  蓋
１８  クリップ
４０、４２  栄養剤注入部
Ｉ  胃ろう用コネクター
ＩＩ、ＩＩＩ、  アダプター
ＩＶ  本発明のチューブに直接接続した胃ろう用コネクター
【図１】
2006042856.tif 000003
【図２】
2006042856.tif 000004
【図３】
2006042856.tif 000005
【図４】
2006042856.tif 000006
【図５】
2006042856.tif 000007
【図６】
2006042856.tif 000008
【図７】
2006042856.tif 000009
【図８】
2006042856.tif 000010
【図９】
2006042856.tif 000011